(57)【要約】【課題】入球口が開放されたことを前面から視認しやすくする。【解決手段】本開示の遊技機１０では、大入賞口１５の下方に連続して開口する非入球口３１を有していて、通常状態では、大入賞口１５はシャッター１５Ｔにより閉塞されるが非入球口３１は開放されている。そして、遊技が当りになると、シャッター１５Ｔが非入球口３１の方へ下降して大入賞口１５が開放され、それに連動して非入球口３１の後方で待機していたガイド板部材４０が大入賞口１５から前方に突出する。これにより、ガイド板部材４０の内面４０Ｎが遊技領域Ｒ１を流下する遊技球を受け止めて大入賞口１５へと誘導する。【選択図】図６
2020137631.tif 000002
【特許請求の範囲】
【請求項１】
遊技板の前面に開口し、流下する遊技球を入賞球として前記遊技板の裏側に取り込む入球口と、
前記遊技板に沿って移動し、前記入球口を開閉するシャッターと、
前記シャッターが閉じているときには前記入球口の内部で待機し、前記シャッターの開動作に連動して前記入球口から前方に突出して遊技球を前記入球口に案内するガイド板部材と、を備える遊技機。
【請求項２】
前記遊技板の前面に開口し、前記入球口に連続する非入球口を備え、
前記シャッターは、前記入球口を閉塞しかつ前記非入球口を開放する第１位置と、前記入球口を開放しかつ前記非入球口を閉塞する第２位置との間を移動する請求項１に記載の遊技機。
【請求項３】
前記入球口と前記非入球口は、略同一の四角形をなして上下に並んでいて、
前記シャッターは、板状をなして上下に移動し、その移動可能な範囲の上端が前記第１位置をなす一方、下端が前記第２位置をなしている請求項２に記載の遊技機。
【請求項４】
前記ガイド板部材は、前後方向に対して前上がりに傾斜する第１方向と平行な板状をなして、前記第１方向に移動可能に支持され、
前記シャッターが前記第１位置に位置するときに、前記ガイド板部材の上端部が前記シャッターの後面下端部に突き合わされると共に、前記ガイド板部材の少なくとも一部が前記非入球口の奥側の視認可能な位置に配置され、
前記シャッターが前記第２位置に位置するときに、前記入球口の下部から斜め上前方に張り出す請求項３に記載の遊技機。
【請求項５】
前記シャッターが前記第１位置に位置するときに、前記ガイド板部材が前記シャッターより前記非入球口の奥側で遊技球の前記非入球口への進入を規制する請求項２乃至４の何れか１の請求項に記載の遊技機。
【発明の詳細な説明】
【技術分野】
【０００１】
本開示は、遊技板の前面に開口する入球口に遊技球を入球口に案内するガイド板部材を備えた遊技機に関する。
【背景技術】
【０００２】
この種の遊技機は、通常はガイド板部材が入球口の略全体を閉塞していて、遊技が当りになると、ガイド板部材が下縁部を中心に前傾姿勢になって遊技球を入球口に案内する構造が一般的であった（例えば、特許文献１参照）。
【先行技術文献】
【特許文献】
【０００３】
【特許文献１】特開２０１４−２０４７６５号公報（［００２３］、図３）
【発明の概要】
【発明が解決しようとする課題】
【０００４】
この種の遊技機においては、ガイド板部材が入球口の下縁部を中心に回動するため入球口の開放を遊技者が遊技板の前面から視認しづらく、入球口が開放されたか否かを判断しやくすることが望まれていた。
【課題を解決するための手段】
【０００５】
遊技板の前面に開口し、流下する遊技球を入賞球として前記遊技板の裏側に取り込む入球口と、前記遊技板に沿って移動し、前記入球口を開閉するシャッターと、前記シャッターが閉じているときには前記入球口の内部で待機し、前記シャッターの開動作に連動して前記入球口から前方に突出して遊技球を前記入球口に案内するガイド板部材と、を備える遊技機である。
【発明の効果】
【０００６】
本開示の遊技機は、入球口を開放する時に、入球口に備えたシャッターが、回動するのではなく遊技板に沿って入球口の前方から離れる方向に移動するので、入球口が開放されたことを遊技者は前面から視認しやすくなる。
【図面の簡単な説明】
【０００７】
【図１】本実施形態に係る遊技機の正面図
【図２】遊技盤の正面図
【図３】可動扉が第１位置に配置された前面開口の拡大正面図
【図４】可動扉が第２位置に配置され、ガイド板部材が遊技板の前方に張り出した状態の前面開口の拡大正面図
【図５】（Ａ）可動扉が第１位置に配置された前面開口の側断面図、（Ｂ）可動扉が第２位置に配置され、ガイド板部材が前面開口の前方に張り出した状態の前面開口の側断面図
【図６】可動扉とガイド板部材の動作を説明するための正面図と側断面図（Ａ）可動扉が第１位置に配置された状態、（Ｂ）可動扉が第２位置に配置され、ガイド板部材が前面開口の後方に配置された状態、（Ｃ）可動扉が第２位置に配置され、ガイド板部材が前面開口の前方に張り出した状態
【発明を実施するための形態】
【０００８】
本実施形態の遊技機１０は、図１に示されるように、パチンコ遊技機であって、前側が前面枠１０Ｚにて覆われており、その前面枠１０Ｚに形成されたガラス窓１０Ｗを通して遊技板１１の遊技領域Ｒ１が視認可能になっている。なお、以下の説明において、特記しない限り「右」及び「左」とは、遊技機１０を前方から見た場合の「右」及び「左」を指すものとする。
【０００９】
前面枠１０Ｚのうちガラス窓１０Ｗより下方には、上皿２６と下皿２７が上下２段にして設けられ、下皿２７の右側には操作ハンドル２８が設けられている。操作ハンドル２８を回動操作すると、上皿２６に収容された遊技球が遊技領域Ｒ１に向けて弾き出される。
【００１０】
図２に示されるように、遊技領域Ｒ１は、遊技板１１の前面から突出したガイドレール１２に四方を囲まれることで形成されている。遊技領域Ｒ１の中央には、遊技盤表示窓１１Ｈが貫通形成されており、その遊技盤表示窓１１Ｈに遊技板１１の裏面側から表示装置１３が対向している。表示装置１３は、例えば、液晶モジュールで構成され、その前面が遊技に関する演出を行う表示画面１３Ｇとなっている。
【００１１】
遊技板１１の前面中央には、表示画面１３Ｇを囲むように表示装飾枠２３が取り付けられている。表示装飾枠２３は、遊技板１１の前面側から遊技盤表示窓１１Ｈに嵌め込まれて、遊技盤表示窓１１Ｈの内側に張り出すと共に、遊技板１１の前面から突出している。そして、遊技領域Ｒ１を流下する遊技球が、表示装飾枠２３の前側を通過して表示装飾枠２３の内側に進入しないように構成されている。
【００１２】
表示装飾枠２３の周囲には、入賞ゲート１８、及び複数の入賞口１４Ａ，１４Ｂ，１５，２０，２１が配置されている。具体的には、表示装飾枠２３の下側に、第１と第２の始動入賞口１４Ａ，１４Ｂが上下に並べて設けられ、それら始動入賞口１４Ａ，１４Ｂの左側に、ガイドレール１２に沿って一般入賞口２０が複数設けられている。そして、表示装飾枠２３の右側には、サイド入賞口２１が備えられている。また、表示装飾枠２３の右下側、即ち、第１と第２の始動入賞口１４Ａ，１４Ｂの右側には、大入賞口１５が設けられ、この大入賞口１５の上側に始動ゲート１８が備えられている。遊技領域Ｒ１を流下する遊技球が、各種入賞口１４Ａ，１４Ｂ，１５，２０，２１に入球すると、その遊技球は遊技板１１の裏側に取り込まれ、賞球として所定数の遊技球が上皿２６に払い出される。
【００１３】
また、遊技領域Ｒ１の下端部には前方に開口した排出口１６が備えられている。上述した各入賞口１４Ａ，１４Ｂ，１５，２０，２１の何れにも入賞しなかった遊技球は、排出口１６に全て取り込まれ、図示しない球回収装置に回収される。
【００１４】
なお、これら入賞ゲート１８、各入賞口１４Ａ，１４Ｂ，１５，２０，２１及び表示装置１３等以外に、遊技領域Ｒ１には、遊技球の流下方向を変化させる障害釘や風車等が配置されている。
【００１５】
次に所要の各部位についてさらに詳説する。始動ゲート１８は、上下方向に貫通した門形構造をなし、遊技球が１つずつ通過可能となっている。始動ゲート１８を遊技球が通過すると、普通図柄当否判定が行われ、普通図柄表示装置（図示せず）にて普通図柄が変動表示後に停止表示される。
【００１６】
第１と第２の始動入賞口１４Ａ，１４Ｂは、所謂、ポケット構造をなし、遊技球が１つずつ入ることが可能な大きさに開口している。第１の始動入賞口１４Ａは上方に開口する一方、第２の始動入賞口１４Ｂは前方に開口し、通常は、開閉扉１４Ｔにて前方が閉塞されることで、遊技球の入球（入賞）が規制されている。開閉扉１４Ｔは、上述した普通図柄当否判定の結果が当りとなったときに、下端部を中心に回動して所定時間だけ前側に倒される。そして、各始動入賞口１４Ａ，１４Ｂに入った遊技球は、遊技板１１に設けた図示しない貫通孔を通って、遊技板１１の裏側に回収される。
【００１７】
各始動入賞口１４Ａ，１４Ｂに遊技球が入球すると、所定数の遊技球が賞球として上皿２６に払い出されると共に、特別図柄当否判定が行われる。即ち、本実施形態では、各始動入賞口１４Ａ，１４Ｂに遊技球が入球することで、特別図柄当否判定の判定権利が発生する。特別図柄当否判定の判定結果は、判定権利の使用に伴って、表示画面１３Ｇで報知される。詳細には、判定権利が用いられると、表示画面１３Ｇでは、判定結果の報知に先立って、判定結果に関連した判定演出が行われる。そして、判定結果が大当りの場合には、判定演出の終了後、大当り遊技状態となって大当り遊技が実行される。判定結果が外れの場合には、大当り遊技状態ではない通常の遊技状態が続く。
【００１８】
大入賞口１５は、横長矩形に形成されて、通常の遊技状態では、シャッター１５Ｔにて閉塞されている。上述した大当り遊技状態となって大当り遊技が行われると、大入賞口１５が開放されて大入賞口１５に多くの遊技球が入賞可能となる。大入賞口１５に遊技球が入球すると、所定数の遊技球が賞球として上皿２６に払い出される。大当り遊技では、予め設定された回数だけ大入賞口１５が開放されるラウンド遊技が、実行される大当り遊技に応じた回数だけ実行される。１回のラウンド遊技は、予め定められた上限数の遊技球が大入賞口１５に入球するか又は予め設定されたラウンド遊技時間が経過すると、終了し、シャッター１５Ｔが大入賞口１５を閉鎖する。
【００１９】
表示画面１３Ｇには、上述したように、特別図柄当否判定に関連した判定演出が表示される。具体的には、表示画面１３Ｇの中央部には、３つの特別図柄１３Ａ，１３Ｂ，１３Ｃが横並びに停止表示されている。これら各特別図柄１３Ａ〜１３Ｃは、例えば、数字や文字等を表記した複数種類のもので構成されており、通常は、各特別図柄１３Ａ〜１３Ｃごと、所定の種類のものが停止表示されている。そして、始動入賞口１４Ａ，１４Ｂに遊技球が入球すると、これら３つの特別図柄１３Ａ〜１３Ｃが、変動表示（例えば、上下方向にスクロール表示）され、所定時間経過後に、例えば、左、右、中の順に停止表示される。そして、停止した特別図柄１３Ａ〜１３Ｃの組合せにより、特別図柄当否判定の判定結果を報知するようになっている、具体的には、特別図柄１３Ａ〜１３Ｃが全て同じ図柄（ゾロ目）の場合に、大当りであることを示し、特別図柄１３Ａ〜１３Ｃがゾロ目以外の組合せの場合に、外れであることを示すようになっている。
【００２０】
一般入賞口２０及びサイド入賞口２１は、始動入賞口１４Ａ，１４Ｂと同様に、ポケット構造をなして遊技球が１つずつ入ることが可能な大きさとなっている。入賞口２０，２１へ遊技球が入球（入賞）すると、その遊技球は遊技板１１の裏側に取り込まれ、例えば、１個の入球につき１５個の賞球が上皿２６に払い出される。
【００２１】
ところで、本実施形態のパチンコ遊技機１０では、大入賞口１５に対して本発明が適用されている。大入賞口１５は、図２に示されるように、遊技板１１の前面に開口した横長矩形の前面開口３０に備えられている。
【００２２】
前面開口３０は、図５（Ａ），（Ｂ）に示されるように、その後方が、仕切壁５０によって上下方向に２分割され、仕切壁５０より上側の領域が入球領域３２、仕切壁５０より下側の領域が非入球領域３３となっている。前面開口３０のうち、入球領域３２の前方部分が大入賞口１５、非入球領域３３の前方部分が非入球口３１を構成している。つまり、前面開口３０の上半分が大入賞口１５となっている。なお、本実施形態では、大入賞口１５が、特許請求の範囲に記載の「入球口」に相当する。
【００２３】
上述したように、通常の遊技状態では、大入賞口１５はシャッター１５Ｔにて閉塞される。図３に示されるように、シャッター１５Ｔは、前面開口３０を上下方向で２分割した形状と略同一の四角形の板状をなしている。従って、シャッター１５Ｔが大入賞口１５を閉塞するとき、前面開口３０の下半分を構成する非入球口３１はシャッター１５Ｔによって閉塞されない（以下、シャッター１５Ｔのこの位置を「第１位置」という。）。一方、大当り遊技状態となって、シャッター１５Ｔが大入賞口１５を開放したときには、図４に示されるように、シャッター１５Ｔは非入球口３１を閉塞する（以下、シャッター１５Ｔのこの位置を「第２位置」という。）。そして、大当り遊技状態が終了すると、シャッター１５Ｔは、非入球口３１を開放し、大入賞口１５を閉塞する第１位置に戻る。
【００２４】
つまり、シャッター１５Ｔは、前面開口３０内を上下方向に移動して、図３の第１位置、あるいは図４の第２位置のどちらかに配置されて、大入賞口１５と非入球口３１のどちらか一方だけを閉塞する。なお、シャッター１５Ｔは、図示しないソレノイドによって上下に移動可能となっている。
【００２５】
ここで、シャッター１５Ｔの上端面は、図５（Ａ）に示されるように、内面側（大入賞口１５との対向面側）に向かって下るように傾斜した傾斜面１５Ｓが形成されている。また、大入賞口１５を構成する前面開口３０の上縁部には、入球領域３２側に向かって下るように傾斜した傾斜面３０Ｓが形成されている。そして、シャッター１５Ｔが第１位置のときに、シャッター１５Ｔの傾斜面１５Ｓは、前面開口３０の傾斜面３０Ｓと接触しないようになっている。
【００２６】
また、大入賞口１５の後方の入球領域３２は、その奥側で、上下方向に貫通した入賞球取込部３６に連通している。大入賞口１５に遊技球が入球すると、入球領域３２と、入賞球取込部３６とを通って遊技板１１の裏側に回収される。
【００２７】
なお、入賞球取込部３６の下方には、図示しない検出スイッチが配置されていて、入賞球取込部３６を通過した遊技球はその下方で検出スイッチによって検出され、その検出回数によって大入賞口１５への入球数がカウントされる。
【００２８】
ここで、シャッター１５Ｔが第１位置にあるとき、非入球口３１は、上述したようにシャッター１５Ｔによって閉塞されないが、図５（Ａ）に示されるように、ガイド板部材４０によって閉塞される。ガイド板部材４０は、横長矩形に形成された板状をなし、遊技板１１の前後方向に対して前上がりに傾斜している（以下、この傾斜方向を「第１方向」という。）。なお、シャッター１５Ｔが第１位置にあるとき、非入球口３１の後方に配置されるガイド板部材４０は、図３に示されるように、その外面４０Ｍが遊技者が遊技板１１の前面から視認可能となっている。
【００２９】
そして、ガイド板部材４０は、シャッター１５Ｔが第２位置に配置されたとき、図５（Ｂ）に示されるように、大入賞口１５の下縁部から斜め上前方に張り出した位置に配置され、ガイド板部材４０の内面４０Ｎが、遊技領域Ｒ１を流下する遊技球を受け止めて大入賞口１５へと誘導する。
【００３０】
つまり、大当り遊技状態となって大当り遊技が行われると、まず、シャッター１５Ｔは、前面開口３０内の上部に配置される図５（Ａ）の状態から、上述のソレノイドによって前面開口３０内の下部に下降して第１位置に配置される。そのあとで、非入球口３１の後方に配置されていたガイド板部材４０が、第１方向に移動して大入賞口１５の前方に張り出して図５（Ｂ）の状態となる。例えば、シャッター１５Ｔを上下に移動させるソレノイドの駆動力を、図示しない連動部材を介してガイド板部材４０に伝達することで、ガイド板部材４０を第１方向へ移動させる。
【００３１】
ここで、ガイド板部材４０の両端部は、ガイド板部材４０の外面４０Ｍから内面４０Ｎに向かってそれぞれ広がるように傾斜した傾斜面４０Ｕ，４０Ｚを有している。そして、シャッター１５Ｔが第１位置にあるとき、ガイド板部材４０の下端部の傾斜面４０Ｕは、非入球領域３３の底面と当接する一方、ガイド板部材４０の上端部の傾斜面４０Ｚは、シャッター１５Ｔの内面の下端部に突き合てられている（図５（Ａ）参照）。
【００３２】
また、仕切壁５０の前端部とシャッター１５Ｔの内面との間には、ガイド板部材４０が第１方向に移動可能な隙間Ｋが形成されている。仕切壁５０の前端部は、仕切壁５０の上面から下面に向かって後方に下るように傾斜した傾斜面５０Ｚを有していて、シャッター１５Ｔが第１位置にあるとき、ガイド板部材４０の内面４０Ｎは仕切壁５０の傾斜面５０Ｚと対向している。
【００３３】
そして、シャッター１５Ｔが第２位置に移動し、ガイド板部材４０が大入賞口１５の前方に張り出したときには、ガイド板部材４０の下端部の傾斜面４０Ｕが隙間Ｋに収容され、ガイド板部材４０の外面４０Ｍがシャッター１５Ｔの傾斜面１５Ｓと対向する（図５（Ｂ）参照）。
【００３４】
また、非入球領域３３の底面は、奥側に向かうにしたがって上方に傾斜し、上下方向の幅が狭くなっている。具体的には、非入球領域３３の底面のうち、シャッター１５Ｔが第２位置にあるときにシャッター１５Ｔの下端部と対向する手前部分と、シャッター１５Ｔが第１位置にあるときにガイド板部材４０の下端部の傾斜面４０Ｕと当接する奥側部分とが、平坦面となっていて、それ以外の中央部分が傾斜面３３Ｗとなっている。なお、シャッター１５Ｔが第１位置にあるとき、傾斜面３３Ｗは、図３に示されるように、遊技者が遊技板１１の前面から視認可能となっている。
【００３５】
本実施形態の構成は以上である。次に本実施形態の作用を説明する。遊技領域Ｒ１に打ち込まれた遊技球は、遊技領域Ｒ１に配置された表示装飾枠２３、障害釘、風車等に接触して、ランダムな経路で流下する。遊技球が入賞ゲート１８を通過すると普通図柄当否判定が行われる。普通図柄当否判定の結果が当りとなったときに、第２の始動入賞口１４Ｂに備えた開閉扉１４Ｔが前側に倒れて第２の始動入賞口１４Ｂが開放し、開閉扉１４Ｔを案内にして第２の始動入賞口１４Ｂに遊技球が入賞可能となる。また、第１と第２の始動入賞口１４Ａ，１４Ｂに遊技球が入賞すると、特別図柄当否判定が行われる。特別図柄当否判定の判定結果が大当りとなると、まず、大入賞口１５を閉塞していたシャッター１５Ｔが、図６（Ａ）に示される第１位置から図６（Ｂ）に示される第２位置へと下降して大入賞口１５が開放され、続いて、大入賞口１５の後方かつシャッター１５Ｔの下方に配置されていたガイド板部材４０が、図６（Ｂ）に示す位置から図６（Ｃ）に示す位置へと移動し、大入賞口１５より前方へと張り出すことにより、ガイド板部材４０を案内にして大入賞口１５に遊技球が入球可能となる。
【００３６】
ここで、ガイド板部材４０に案内された遊技球は、ガイド板部材４０から入球領域３２に進入して入賞球取込部３６に取り込まれる。入賞球取込部３６に取り込まれた遊技球は、検出スイッチによって検出され、その検出回数によって、大入賞口１５への入球数がカウントされる。そして、大入賞口１５への入球数が予め定められた上限数になると、まず、ガイド板部材４０が図６（Ｃ）に示す位置から、図６（Ｂ）に示す位置に戻され、続いて、シャッター１５Ｔが、図６（Ｂ）に示す第２位置から、図６（Ａ）に示す第１位置に戻されて、大入賞口１５が閉塞される。
【００３７】
上述したように、シャッター１５Ｔは、前面開口３０内を上下に遊技板１１に沿って動くので、大入賞口１５を開放するときに、第１領域の前方から離れる方向に移動することから、遊技者はその動きを前方から明確に視認することができ、下縁部を中心に回動して前傾姿勢になる回動扉よりも、大入賞口１５が開放したか否かが判断しやすくなる。
【００３８】
しかも、大入賞口１５は前面開口３０内に備えられる構成によって、前面開口３０全体が大入賞口１５であるかのように見せることができ、大当りとなってシャッター１５Ｔが下がったときに遊技者に視覚的に大入賞口１５が大きくなったように感じさせて、大当りの祝福感を増大させることができる。
【００３９】
その上、従来の回動扉では、大入賞口１５が閉塞されるときに回動扉の内面に受け止められた遊技球が大入賞口１５の上縁部との間に挟まって球噛みが発生する虞があったが、本実施形態では、大入賞口１５が閉塞される際、まずガイド板部材４０が遊技板１１の後方に引っ込んだあとでシャッター１５Ｔが大入賞口１５を閉塞するので、ガイド板部材４０の内面４０Ｎで受け止められた遊技球が、大入賞口１５の上縁部に挟まる虞を低減することができる。
【００４０】
しかも、非入球口３１は、シャッター１５Ｔが大入賞口１５を閉塞するときにはガイド板部材４０によって閉塞され、ガイド板部材４０が大入賞口１５の前方に張り出しているときには、その後方をシャッター１５Ｔによって閉塞され、非入球口３１の後方の非入球領域３３の奥側は常に閉塞される構成となっていることから、遊技領域Ｒ１を流下する遊技球が非入球領域３３の奥側に進入することを規制することができる。
【００４１】
ここでもし仮に、非入球口３１の後方がガイド板部材４０によって閉塞されているときに、非入球口３１に遊技球が進入した場合でも、非入球領域３３の底面に前方に向かって下る傾斜面３３Ｗが形成されているので進入した遊技球を遊技板１１の前面に誘導し、非入球領域３３に遊技球が滞留するのを抑制することができる。
【００４２】
また、大入賞口１５を構成する前面開口３０の上縁部には、傾斜面３０Ｓが形成されているので、図６（Ｃ）に示されるように、ガイド板部材４０の内面４０Ｎに案内された遊技球が大入賞口１５に入球しやすくなっている。
【００４３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４４】
（１）上記実施形態では、大入賞口１５と非入球口３１とが上下方向に並んで前面開口３０が構成されていたが、左右方向に並んで前面開口３０が構成され、シャッター１５Ｔが左右方向に移動して大入賞口１５を閉塞又は開放してもよい。このとき、シャッター１５Ｔが大入賞口１５を閉塞するときにガイド板部材４０を閉塞してもよい。
【００４５】
（２）上記実施形態では、ガイド板部材４０が遊技板１１の前後方向に対して前上がりに傾斜していたが、水平に配置されていてもよい。この場合、ガイド板部材４０は、大当り遊技状態となったときに、大入賞口１５の下部から水平方向に突出する。
【００４６】
（３）上記実施形態では、大入賞口１５の上縁部に入球領域３２側に向かって下るように傾斜した傾斜面１１Ｓを備えていたが備えていなくてもよい。
【００４７】
（４）上記実施形態では、非入球領域３３の底面には前方に向かって下る傾斜面３３Ｗを備えていたが備えていなくてもよい。
【符号の説明】
【００４８】
１０    遊技機
１１    遊技板
１５    大入賞口（入球口）
１５Ｔ  シャッター
３１    非入球口
４０    ガイド板部材
【図１】
2020137631.tif 000003
【図２】
2020137631.tif 000004
【図３】
2020137631.tif 000005
【図４】
2020137631.tif 000006
【図５】
2020137631.tif 000007
【図６】
2020137631.tif 000008